(57)【特許請求の範囲】
【請求項１】
開口した筐体を成す本体部と、
前記開口の前方に開閉可能に配置される扉部と、
音声を入力するマイクロフォンと、を備え、
前記マイクロフォンは、前記本体部における前記扉部よりも後方の位置に、少なくとも一部が外部に露出して設置されており、
前記扉部における前記マイクロフォン前方部分は、当該マイクロフォンに向かってテーパー状に形成されていることを特徴とする冷蔵庫。
【請求項２】
開口した筐体を成す本体部と、
前記開口の前方に開閉可能に配置される扉部と、
音声を入力するマイクロフォンと、を備え、
前記マイクロフォンは、前記本体部における前記扉部よりも後方の位置に、少なくとも一部が外部に露出して設置されており、
前記扉部における前記マイクロフォン前方部分は、他の部分よりも厚みが薄くなるように形成されていることを特徴とする冷蔵庫。
【請求項３】
前記本体部上方に前記扉部を開閉可能に接続するヒンジ部を備え、
前記ヒンジ部は前記本体部のヒンジを覆うヒンジカバーを備えており、
前記マイクロフォンは、前記ヒンジカバー内部に設置されることを特徴とする請求項１に記載の冷蔵庫。
【請求項４】
前記マイクロフォンは、緩衝用スポンジに挟まれて固定されていることを特徴とする請求項１から３のいずれか１項に記載の冷蔵庫。
【請求項５】
前記マイクロフォンから入力された音声を音声認識する機能、または、前記マイクロフォンから入力された音声を音声認識するサーバ装置に伝送する機能を、有することを特徴とする請求項１から４のいずれか１項に記載の冷蔵庫。
【発明の詳細な説明】
【技術分野】
【０００１】
本発明は、マイクロフォンを備えた冷蔵庫に関する。
【背景技術】
【０００２】
近年、冷蔵庫には庫内の収容物を冷やすという本来の機能に加え、ユーザ支援や補助といった目的で様々な機能が搭載されており、例えば、音声による操作や、物品情報を音声入力し在庫管理できる冷蔵庫も存在している。このような冷蔵庫には、集音のためにマイクロフォン（マイク）が設置されている。例えば、特許文献１に開示の冷蔵庫では、ドアの内側端部にマイクが設置されている。しかし、冷蔵庫のドアの内側にマイクを設置した場合、ドアを閉めた状態では音声検知ができない。反対にドアの外側にマイクを設置した場合、ユーザがドアを開けて庫内を覗き込みながら発した音声を殆ど拾えない。つまり、ドアの開閉でマイクの位置が変わる場合、音声検知を確実に行なえない。ドアの開閉でマイクの位置が変わる冷蔵庫に対して、特許文献２に開示の冷蔵庫では、その上部領域のハウジングにマイクが設置されているため、ドアの開閉でマイクの位置は変わらず、音声の拾い漏れを防ぐことが可能である。
【先行技術文献】
【特許文献】
【０００３】
【特許文献１】特開２００３−４３６８号公報（２００３年１月８日公開）
【特許文献２】特開２００４−５２６１１６号公報（２００４年８月２６日公開）
【発明の概要】
【発明が解決しようとする課題】
【０００４】
ところが、冷蔵庫の上部領域のハウジングにマイクが設置された構成では、ハウジングが特別な構造として形成されており、この特別な構造の分だけ冷蔵庫の高さが大きくなっている。よって、冷蔵庫の見栄えが悪くなったり、高さ制限のある場所には冷蔵庫を置けなかったりといった弊害がでてくる。また、マイクを露出するための穴等の構造をハウジングに設ける必要があるが、これが目立つと冷蔵庫の外観が悪くなる。
【０００５】
そこで、本発明は上記課題を解決するために鑑みなされ、その目的は、特別な構造を設けることなく、音声検知が確実に行なえる位置にマイクロフォンが設置された冷蔵庫を提供することにある。
【課題を解決するための手段】
【０００６】
上記の課題を解決するために、本発明の一態様に係る冷蔵庫は、開口した筐体を成す本体部と、前記開口の前方に開閉可能に配置される扉部と、音声を入力するマイクロフォンと、を備え、前記マイクロフォンは、前記本体部における前記扉部よりも後方の位置に、少なくとも一部が外部に露出して設置されることを特徴とする。
【発明の効果】
【０００７】
本発明の一態様によれば、マイクロフォンは本体部における扉部よりも後方の位置に、少なくとも一部が外部に露出して設置されるため、特別な構造を設けることなく、音声検知が確実に行なえる位置にマイクロフォンが設置された冷蔵庫を提供できるという効果を奏する。
【図面の簡単な説明】
【０００８】
【図１】（ａ）は、本発明の実施の形態１に係る冷蔵庫のドアを閉めた状態の正面図、（ｂ）は、当該冷蔵庫の上段のドアを開けた状態の斜視図である。
【図２】（ａ）は、上記冷蔵庫の上部の断面図、（ｂ）は、（ａ）の断面図のマイク付近の拡大図、（ｃ）は、上記冷蔵庫の上部の斜視図であり、ヒンジカバーを外した状態を示す。
【図３】（ａ）本発明の実施の形態２に係る冷蔵庫の上部の断面図、（ｂ）及び（ｃ）は、本発明の実施の形態２に係る冷蔵庫の変形例の冷蔵庫の上面図である。
【図４】本発明の実施形態３に係る冷蔵庫のドアを閉めた状態の正面図である。
【発明を実施するための形態】
【０００９】
〔実施形態１〕
以下、本発明の一実施形態について、図１及び２に基づき詳細に説明する。図１の（ａ）は、本実施形態の冷蔵庫１のドア（扉部）３を閉めた状態の正面図、（ｂ）は、冷蔵庫１のドア３を開けた状態の斜視図である。
【００１０】
冷蔵庫１は、図１に示すように、開口した筐体を成す本体部２と、本体部２に対して開閉可能に設けられたドア３とを有している。
【００１１】
本体部２は、内箱と外箱との間に断熱材が充填された筐体である。内箱で囲まれる空間が冷蔵庫１の庫内である。なお、本体部２の後方下部の庫外に機械室（図示せず）が設けられている。
【００１２】
ドア３は、断熱扉であり、本体部２の前方に配置される。ドア３と本体部２との間には、ドアパッキン３０が設けられており、冷気の漏れ出しを防いでいる。ドア３は、本実施形態では、図１に示すように、６つのドア（部分扉、第１ドア３−１〜第６ドア３−６）から成る。以下では、ドア３における、冷蔵庫１の庫内に対向する面をドア３の内側、庫外に対向する面をドア３の外側と称する。
【００１３】
第１ドア３−１及び第２ドア３−２は、それぞれ、観音開きの右と左のドアであり、第１ドア３−１及び第２ドア３−２の１組に、１つの庫内４が対向している。第１ドア３−１及び第２ドア３−２の内側には、ドアポケットが設置されている。第１ドア３−１及び第２ドア３−２は、ヒンジによって本体部２に取り付けられている。後述する本体部２上部のヒンジベース６ａとヒンジボルト６ｃとから成るヒンジはヒンジカバー６ｂにて覆われている。
【００１４】
第３ドア３−３と第４ドア３−４とは、それぞれ、片開きドアであり、ヒンジにより本体部２に取り付けられている。また、それぞれに、１つの庫内が対向している。第５ドア３−５及び第６ドア３−６は、引き出し式のドアとなっている。これらは例示であり、ドアの数、ドアの形状、庫内の数は限定されない。
【００１５】
さらに、冷蔵庫１は、音声を入力するマイク５（マイクロフォン）を備えており、マイク５は、本体部２におけるドア３よりも後方の位置に、少なくとも一部が外部に露出して設置される。本実施形態では、マイク５はヒンジカバー６ｂの内部に設置される。この設置位置について、図２を用いて説明する。図２の（ａ）は、図１の（ａ）に示す冷蔵庫１の上部のＡ−Ａ断面図、（ｂ）は、（ａ）の断面図のマイク５付近の拡大図、（ｃ）は、冷蔵庫１の上部の斜視図であり、ヒンジカバー６ｂを外した状態を示す。
【００１６】
マイク５は、緩衝用スポンジ５ａ，５ｂに挟まれ、マイク押さえ５ｃにてヒンジカバー６ｂに固定される。なお、マイク５、緩衝用スポンジ５ａ，５ｂ、マイク押さえ５ｃ、ヒンジベース６ａ、ヒンジボルト６ｃ、ヒンジカバー６ｂは、公知のものを利用できる。以下では、ヒンジベース６ａ、ヒンジボルト６ｃ、ヒンジカバー６ｂからなる構成をヒンジ部６と称する。
【００１７】
マイク５の設置位置は、ヒンジカバー６ｂ内部（覆われた位置）における、第１ドア３−１と第２ドア３−２との境界に対応する位置であるが、この場所に限定されず、例えば、ヒンジカバー６ｂ内部の冷蔵庫１の端部寄りに設置されてもよい。また、左右どちらのヒンジカバー内部に設置してもよい。
【００１８】
ヒンジカバー６ｂは、従来のヒンジカバーを第１ドア３−１と第２ドア３−２との境界に対応する位置に向かって横方向に拡大して構成されており、その中にマイク５が設置される。しかし、ヒンジカバー６ｂとは別に、マイク５を覆うマイクカバーを、ヒンジカバー６ｂと同じ高さ以下にて設けてもよい。つまり、マイク５の設置位置は、ヒンジ部６の高さを越えない位置であればよい。
【００１９】
また、ヒンジカバー６ｂには、マイク５を外部に露出する露出穴５ｄが設けられている。この露出穴５ｄを介してマイク５がユーザの音声を検知する。
【００２０】
以上のように、冷蔵庫１では、マイク５は、冷蔵庫の一般的な構成である本体部２においてドア３よりも後方の位置に設置される。そのため、マイク５を設置する特別な構造を設けることがない。また、ドア３の開閉によりマイク５の位置が移動しないため音声検知がドア３の開閉に影響されない。また、マイク５は、ドア３よりも後方に、つまりドア３より奥まった位置に設置されるため、マイク５を露出するための穴が設けられていても、ドア３の厚みによって、その穴が悪目立ちせず、冷蔵庫１の外観を損ねることはない。このように、冷蔵庫１では、特別な構造を設けることなく、音声検知が確実に行なえる位置にマイク５を設置できる。
【００２１】
特に、マイク５は、ヒンジカバー６ｂ内部という、ヒンジ部６の高さを越えない位置に設置される。ここで、ヒンジ部６は本体部２の最も高い位置に配置されている。よって、ヒンジ部６の高さを越えない位置にマイク５を設置することで、マイク５は冷蔵庫１の本体部２の最も高い位置を越えない。よって、冷蔵庫１の高さを大きくする特別な構造を設けることなく、マイク５を設置できる。また、マイク５は、ヒンジカバー６ｂという元来冷蔵庫に取り付けられている部品を利用して、その内部に設置されるため、冷蔵庫１の外観を損ねることなく、また、冷蔵庫の既存機種から設計変更を必要とする部品が最小限の構成にてマイク５を設置することが可能である。
【００２２】
また、マイク５を露出するための露出穴５ｄは、図２に示すように、冷蔵庫１前方に向けて設けられている。ユーザは冷蔵庫１の使用時にはドア３前方に来ることが殆どである。よって、露出穴５ｄが冷蔵庫１前方に向けて設けられているため、ドア３前方のユーザの音声を確実に拾うことができ、使い勝手がよい。なお、露出穴５ｄは、側方に向けて設けられていてもよい。露出穴５ｄが上方に向けて設けられているとホコリや塵で汚れやすいが、前方あるいは側方に向けて設けられていると、これらを防ぐことができる。
【００２３】
さらに、冷蔵庫１は、マイク５から入力された音声を利用できる構成を有している。本実施形態では、冷蔵庫１は、マイク５から入力された音声を音声認識する音声認識能を有している。音声認識された音声は、例えば、食品の管理のための入力、ユーザとのコミュニケーション、操作入力等に利用される。なお、これらは例示であり、マイク５から入力された音声は、どのように利用されてもよい。
【００２４】
冷蔵庫１は、音声認識能を有しておらず、マイク５から入力された音声を録音及び再生できる伝言機能を有する構成であってもよいし、これら両方の機能を有する構成であってもよい。または、冷蔵庫１は、マイク５から入力された音声を利用できる別の機能を備えていてもよい。
【００２５】
また、冷蔵庫１は、マイク５から入力された音声を音声認識するサーバ装置に送信する伝送機能を備えていてもよい。この伝送機能は、冷蔵庫１に内蔵されたものであっても、外付けの無線通信アダプタを用いて実現してもよい。このような、無線通信アダプタには、公知ものを用いることができる。
【００２６】
また、冷蔵庫１では、ヒンジカバー６ｂ内部に、スピーカー７が設置されている。このように、マイク５とスピーカー７とが同じヒンジカバー６ｂ内部に設置されるため、これらを離れた場所に設置するよりも構成をコンパクトにできる。また、ユーザは音声の聞こえてきた方向に向かって話す場合が多い為、マイク５とスピーカー７とが同じヒンジカバー６ｂ内部に設置されると、マイク５がユーザの音声を拾いやすくなる。スピーカー７は、冷蔵庫１からの音声出力に用いられる。冷蔵庫１は、さらに、例えば、表示操作パネル、カメラ、人感センサ等を備えていてもよい。
【００２７】
冷蔵庫１は、上記構成以外は、公知の冷蔵庫の構成を用いることができる。
【００２８】
以上で説明した本実施形態の冷蔵庫１のマイク５の設置位置は、マイクを備えた公知の冷蔵庫（あるいは冷凍庫）であればどのような構成であっても適用可能である。もちろん、家庭用冷蔵庫だけでなく業務用冷蔵庫等にも適用可能である。
【００２９】
冷蔵庫１のドア３について、観音開き（フレンチタイプ）のドアを例に説明したが、片開きのドアであってもよい。また、冷蔵庫１は、冷蔵庫のみの構成、あるいは、冷凍庫のみの構成であってもよい。また、冷蔵庫１は、外部の通信ネットワークに接続する、いわゆるネットワーク家電として機能する構成であってもよい。この場合、冷蔵庫１とタブレット端末やスマートフォン等の通信端末装置とを通信ネットワークを介して通信可能とし、通信端末装置にて冷蔵庫１を遠隔制御したり、冷蔵庫１の動作状態を確認したりすることができてもよい。
【００３０】
〔実施の形態２〕
本発明の他の実施形態について図３に基づいて説明すれば、以下の通りである。なお、説明の便宜上、実施の形態１にて説明した部材と同じ機能を有する部材については、同じ符号を付記し、その説明を省略する。
【００３１】
図３の（ａ）は、本実施形態の冷蔵庫１ａの上部の断面図である。冷蔵庫１ａは、図３の（ａ）に示すように、第１ドア３−１及び第２ドア３−２におけるマイク５前方部分が、マイク５に向かってテーパー状に形成された構成である。これ以外は実施の形態１の冷蔵庫１と同様である。
【００３２】
マイク５の前方には第１ドア３−１及び第２ドア３−２が存在するが、冷蔵庫１ａでは、マイク５の周囲の第１ドア３−１ａ及び第２ドア３−２ａが、マイク５に向かってテーパー状に形成されているため、集音効果が高まり、マイク５が音声を検知しやすくなる。
【００３３】
次に、冷蔵庫１ａの変形例である冷蔵庫１ａ−１の上面図を図３の（ｂ）に示す。冷蔵庫１ａの第１ドア３−１ａ及び第２ドア３−２ａのテーパー形状部分は、図３の（ａ）に示すように、前方から後方に鉛直方向に傾斜している。これに対して、冷蔵庫１ａ−１の第１ドア３−１ｂ及び第２ドア３−２ｂのテーパー形状部分は、図３の（ｂ）に示すように前方から後方に水平方向に傾斜している。このような形状により、集音効果が高まり、マイク５が音声を検知しやすくなる。
【００３４】
さらに、冷蔵庫１ａの別の変形例である冷蔵庫１ａ−２を図３の（ｃ）に示す。冷蔵庫１ａ−２では、第１ドア３−１ｃ及び第２ドア３−２ｃにおけるマイク５の前方部分が、他の部分よりも厚みが薄くなるように形成されている。マイク５の前方部分の第１ドア３−１ｃ及び第２ドア３−２ｃを薄くすることで、第１ドア３−１ｃ及び第２ドア３−２ｃが音声を遮ってマイク５の感度が落ちるのを抑制することができ、マイク５が音声を検知しやすくなる。
【００３５】
〔実施形態３〕
本発明の別の実施形態について図４に基づいて説明すれば、以下の通りである。なお、説明の便宜上、実施の形態１または２にて説明した部材と同じ機能を有する部材については、同じ符号を付記し、その説明を省略する。図４は、本実施形態の冷蔵庫１ｂの正面図である。
【００３６】
冷蔵庫１ｂは、図４に示すように、マイク５が、本体部２における、第１ドア３−１、第２ドア３−２、第３ドア３−３、及び第４ドア３−４の境界（隙間）に当たる位置に設置された構成である。これ以外は実施の形態１の冷蔵庫１と同様である。
【００３７】
冷蔵庫１ｂでは、マイク５は、４つのドアである、第１ドア３−１、第２ドア３−２、第３ドア３−３、及び第４ドア３−４に囲まれることで、集音効果が高まり、音声を検知しやすくなる。また、マイク５を露出するための穴は、第１ドア３−１、第２ドア３−２、第３ドア３−３、及び第４ドア３−４の厚みによって、悪目立ちせず、冷蔵庫１ｂの外観を損ねることはない。
【００３８】
本実施形態では、マイク５は、本体部２における、第１ドア３−１、第２ドア３−２、第３ドア３−３、及び第４ドア３−４の境界に当たる位置に設置されているが、本体部２におけるドア３を構成する部分ドアの境界に当たる位置であれば、いずれの位置に設置されていてもよい。例えば、マイク５は、本体部２におけるドア３の周縁に当たる位置に設置されてもよい。また、このようなマイク５の設置位置は、ヒンジ部が無いドア、例えば、スライド式ドアを有する冷蔵庫にも適応可能である。
【００３９】
さらに、冷蔵庫１ｂは、実施の形態２と同様に、ドア３におけるマイク５前方部分が、マイク５に向かってテーパー状に形成されていてもよい。テーパー状に形成されることで、集音効果がより高まり、マイク５が音声を検知しやすくなる。
【００４０】
本発明は上述した各実施形態に限定されるものではなく、種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【００４１】
〔まとめ〕
本発明の態様１に係る冷蔵庫（１）は、開口した筐体を成す本体部（２）と、前記開口の前方に開閉可能に配置される扉部（ドア３）と、音声を入力するマイクロフォン（マイク５）と、を備え、前記マイクロフォンは、前記本体部における前記扉部よりも後方の位置に、少なくとも一部が外部に露出して設置される。
【００４２】
上記構成によると、冷蔵庫の一般的な構成の本体部において扉部よりも後方のいずれかの位置に設置することができる。そのため、マイクロフォンを設置する特別な構造を設けることがない。つまり、冷蔵庫の既存機種から設計変更を必要とする部品が最小限の構成でマイクロフォンを設定することができる。また、扉部の開閉によりマイクロフォンの位置が移動しないため音声検知が扉部の開閉に影響されない。また、マイクロフォンは、扉部よりも後方に、つまり扉部より奥まった位置に設置されるため、例えばマイクロフォンを露出するための穴が設けられていても、扉部の厚みによって、その穴が悪目立ちせず、冷蔵庫の外観を損ねることはない。
【００４３】
以上からわかるように、上記構成によると、特別な構造を設けることなく、音声検知が確実に行なえる位置にマイクロフォンが設置された冷蔵庫を提供することができる。
【００４４】
本発明の態様２に係る冷蔵庫は、前記本体部上方に前記扉部を開閉可能に接続するヒンジ部（６）を備え、前記マイクロフォンは、前記ヒンジ部の高さを越えない位置に設置される。
【００４５】
一般に冷蔵庫のヒンジ部は本体部の最も高い位置に配置されることが殆どである。よって、上記構成によると、ヒンジ部の高さを越えない位置にマイクロフォンが設置されることで、マイクロフォンは一般に冷蔵庫の本体部の最も高い位置を越えない。よって、冷蔵庫の高さを大きくする特別な構造を設けることなく、マイクフォンを設置できる。
【００４６】
本発明の態様３に係る冷蔵庫は、上記態様２に係る冷蔵庫において、前記ヒンジ部は前記本体部のヒンジを覆うヒンジカバー（６ｂ）を備えており、前記マイクロフォンは、前記ヒンジカバー内部に設置される。
【００４７】
上記構成によると、マイクロフォンは、ヒンジカバーという元来冷蔵庫に取り付けられている部品を利用して、その内部に設置されるため、外観を損ねることなく設置することが可能である。
【００４８】
本発明の態様４に係る冷蔵庫は、上記態様３に係る冷蔵庫において、前記ヒンジカバー内部には、さらに、音声を出力するスピーカー（７）が設置される。
【００４９】
上記構成によると、マイクロフォンとスピーカーとがヒンジカバー内部に設置されるため、コンパクトに冷蔵庫を形成できる。また、ユーザは音声の聞こえてきた方向に向かって話す場合が多い為、上記構成によると、マイクロフォンがユーザの音声を拾いやすくなる。
【００５０】
本発明の態様５に係る冷蔵庫では、上記態様１に係る冷蔵庫において、前記扉部は、複数の部分扉（第１ドア３−１、第２ドア３−２、第３ドア３−３、第４ドア３−４）から成り、前記マイクロフォンは、前記本体部における前記部分扉同士の境界に当たる位置に設置される。
【００５１】
上記構成によると、マイクロフォンは、部分扉同士の境界となる位置に、つまり部分扉同士の隙間に設置されるため、集音効果が高まり、マイクロフォンが音声を検知しやすくなる。また、マイクロフォンを露出するための穴が設けられていても、部分扉部の厚みによって、その穴が悪目立ちせず、冷蔵庫の外観を損ねることはない。
【００５２】
本発明の態様６に係る冷蔵庫は、上記態様１から５のいずれか１つに係る冷蔵庫において、前記扉部における前記マイクロフォン前方部分は、当該マイクロフォンに向かってテーパー状に形成されている。
【００５３】
マイクロフォンの前方には扉部が存在するが、上記構成によると、マイクロフォンの周囲の扉部が、マイクロフォンに向かってテーパー状に形成されているため、この形状により、集音効果が高まり、マイクロフォンが音声を検知しやすくなる。
【００５４】
なお、前記扉部における前記マイクロフォンの前方部分が、他の部分よりも厚みが薄くなるように形成されていてもよい。この構成によると、扉部が音声を遮ってマイクロフォンの感度が落ちるのを抑制することができ、マイクロフォンが音声を検知しやすくなる。
【００５５】
本発明の態様７に係る冷蔵庫では、上記態様１から６のいずれか１つに係る冷蔵庫において、前記マイクロフォンを露出するための露出穴（５ｄ）が、当該冷蔵庫前方に向けて設けられている。
【００５６】
ユーザは冷蔵庫の使用時には扉部前方に来ることが殆どである。よって、マイクロフォンを露出するための露出穴が冷蔵庫前方に向けて設けられていると、扉部前方のユーザの音声を確実に拾うことができ、使い勝手がよい。また、マイクロフォンの露出穴が上方に向けて設けられているとホコリや塵で汚れやすいが、前方に向けて設けられているため、これらを防ぐことができる。
【００５７】
本発明の態様８に係る冷蔵庫は、上記態様１から７のいずれか１つに係る冷蔵庫において、前前記マイクロフォンから入力された音声を音声認識する機能を、または、前記マイクロフォンから入力された音声を音声認識するサーバ装置に伝送する機能を、有する。
【００５８】
上記構成によると、本発明に係る冷蔵庫を、入力音声を音声認識する冷蔵庫、あるいは、入力音声を音声認識するサーバに伝送する冷蔵庫に適用することができる。
【００５９】
さらに、上記態様８に係る冷蔵庫と、音声認識するサーバ装置と、を含むネットワーク家電システムも本発明の範疇に入る。
【産業上の利用可能性】
【００６０】
本発明は、マイクロフォンを備えた冷蔵庫に利用することが可能であり、例えば、音声による操作、音声による物品情報等の入力、録音（伝言）、対話等を行うことが可能な冷蔵庫に利用することができる。
【符号の説明】
【００６１】
１，１ａ，１ａ−１，１ａ−２，１ｂ    冷蔵庫
２    本体部
３    ドア（扉部）
３−１〜３−６    第１ドア〜第６ドア（部分扉）
４    庫内
５    マイク（マイクロフォン）
５ｄ  露出穴
６    ヒンジ部
６ａ  ヒンジベース
６ｂ  ヒンジカバー
７    スピーカー
【図１】
0006449073.tif 000002
【図２】
0006449073.tif 000003
【図３】
0006449073.tif 000004
【図４】
0006449073.tif 000005